【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
ワイヤレスデバイスと通信するためのメッセージビーコンデバイスのリーチを最適化するための方法であって、
前記リーチは、前記メッセージビーコンデバイスからメッセージビーコンを受信する近接したワイヤレスデバイスの数であり、
前記メッセージビーコンデバイスに関連する複数のトランシーバを特定するステップと、
各特定されたトランシーバを、前記特定されたトランシーバに関連するリソース消費、前記複数の特定されたトランシーバのうちの異なるトランシーバとの前記特定されたトランシーバの干渉、前記特定されたトランシーバのリーチ、またはそれらの組合せに基づいて分析するステップと、
各特定されたトランシーバの前記分析に基づいて、前記複数の特定されたトランシーバから送信セットを選択するステップと、
前記送信セット内の各選択されたトランシーバを使用して、メッセージビーコンを送信するステップと
を含む、方法。
【請求項２】
各特定されたトランシーバを分析するステップが、各特定されたトランシーバの動作に関連するリソース消費インジケータを決定するステップを含み、
送信セットを選択するステップが、各分析されたトランシーバに関して、
前記リソース消費インジケータが第1のリソース消費しきい値未満であるとの決定に応じて、前記選択された送信セット内に前記分析されたトランシーバを含めるステップと、
前記リソース消費インジケータが第2のリソース消費しきい値よりも大きいとの決定に応じて、前記選択された送信セットから前記分析されたトランシーバを除外するステップと
を含む、請求項1に記載の方法。
【請求項３】
前記リソース消費インジケータを決定するステップが、
前記メッセージビーコンデバイスが、一定電源に関連付けられるか、または消耗電源に関連付けられるかを決定するステップと、
前記メッセージビーコンデバイスが前記消耗電源に関連付けられるとの決定に応じて、前記リソース消費インジケータを増大させるステップと、
前記メッセージビーコンデバイスが前記一定電源に関連付けられるとの決定に応じて、前記リソース消費インジケータを低減させるステップと
を含む、請求項2に記載の方法。
【請求項４】
前記リソース消費インジケータを決定するステップが、
各特定されたトランシーバに関連する電力消費率を決定するステップと、
前記特定されたトランシーバが高い電力消費率に関連付けられるとの決定に応じて、前記リソース消費インジケータを増大させるステップと、
前記特定されたトランシーバが低い電力消費率に関連付けられるとの決定に応じて、前記リソース消費インジケータを低減させるステップと
を含む、請求項2に記載の方法。
【請求項５】
前記リソース消費インジケータを決定するステップが、
各特定されたトランシーバに関連するメッセージビーコン送信間隔を決定するステップと、
前記特定されたトランシーバが高いメッセージビーコン送信間隔に関連付けられるとの決定に応じて、前記リソース消費インジケータを増大させるステップと、
前記特定されたトランシーバが低いメッセージビーコン送信間隔に関連付けられるとの決定に応じて、前記リソース消費インジケータを低減させるステップと
を含む、請求項2に記載の方法。
【請求項６】
各特定されたトランシーバを分析するステップが、各特定されたトランシーバの動作に関連する干渉インジケータを決定するステップを含み、
送信セットを選択するステップが、各分析されたトランシーバに関して、
前記干渉インジケータが第1の干渉しきい値未満であるとの決定に応じて、前記選択された送信セット内に前記分析されたトランシーバを含めるステップと、
前記干渉インジケータが第2の干渉しきい値よりも大きいとの決定に応じて、前記選択された送信セットから前記分析されたトランシーバを除外するステップと
を含む、請求項1に記載の方法。
【請求項７】
各特定されたトランシーバの動作に関連する干渉インジケータを決定するステップが、
各特定されたトランシーバからのメッセージビーコン送信によって前記異なるトランシーバにおいて引き起こされる干渉を反映する干渉値を推定するステップと、
前記特定されたトランシーバが高い干渉レベルに関連付けられるとの決定に応じて、前記干渉インジケータを増大させるステップと、
前記特定されたトランシーバが低い干渉レベルに関連付けられるとの決定に応じて、前記干渉インジケータを低減させるステップと
を含む、請求項6に記載の方法。
【請求項８】
前記干渉値を推定するステップが、
前記メッセージビーコン送信によって引き起こされる前記干渉値を測定するステップと、
前記特定されたトランシーバに関連する無線アクセス技術、前記特定されたトランシーバに関連するメッセージビーコン送信間隔、前記特定されたトランシーバに関連する送信電力、またはそれらの組合せに基づいて、ルックアップテーブルから前記干渉値を決定するステップと
を含む、請求項7に記載の方法。
【請求項９】
各特定されたトランシーバを分析するステップが、各特定されたトランシーバの動作に関連するリーチインジケータを決定するステップを含み、
送信セットを選択するステップが、各分析されたトランシーバに関して、
前記リーチインジケータが第1のリーチしきい値よりも大きいとの決定に応じて、前記選択された送信セット内に前記分析されたトランシーバを含めるステップと、
前記リーチインジケータが第2のリーチしきい値未満であるとの決定に応じて、前記選択された送信セットから前記分析されたトランシーバを除外するステップと
を含む、請求項1に記載の方法。
【請求項１０】
リーチインジケータを決定するステップが、
各特定されたトランシーバを使用して、肯定応答を受信するステップと、
受信された肯定応答の数をカウントするステップと、
前記特定されたトランシーバが多数の受信された肯定応答に関連付けられるとの決定に応じて、前記リーチインジケータを増大させるステップと、
前記特定されたトランシーバが少数の受信された肯定応答に関連付けられるとの決定に応じて、前記リーチインジケータを低減させるステップと
を含む、請求項9に記載の方法。
【請求項１１】
リーチインジケータを決定するステップが、
各特定されたトランシーバに関連するベンダー、製造会社、またはメッセージビーコンプロトコルを特定するステップと、
前記特定されたベンダー、製造会社、またはメッセージビーコンプロトコルに基づいて、各特定されたトランシーバに関連する前記リーチインジケータを設定するステップと
を含む、請求項9に記載の方法。
【請求項１２】
ワイヤレスデバイスと通信するためのメッセージビーコンデバイスであって、
前記メッセージビーコンデバイスに関連する複数のトランシーバと、
前記複数のトランシーバの各々を特定し、各特定されたトランシーバを、前記特定されたトランシーバに関連するリソース消費、前記複数の特定されたトランシーバのうちの異なるトランシーバとの前記特定されたトランシーバの干渉、前記特定されたトランシーバのリーチ、またはそれらの組合せに基づいて分析するように構成されたトランシーバ分析器であって、前記リーチは、前記メッセージビーコンデバイスからメッセージビーコンを受信する近接したワイヤレスデバイスの数である、トランシーバ分析器と、
各特定されたトランシーバの前記分析に基づいて、前記複数の特定されたトランシーバから送信セットを選択するように構成された送信セット選択器と、
前記選択された送信セット内の各選択されたトランシーバにメッセージビーコンを提供するように構成されたメッセージビーコン選択器と
を備える、メッセージビーコンデバイス。
【請求項１３】
前記トランシーバ分析器が、各特定されたトランシーバの動作に関連するリソース消費インジケータを決定するように構成され、
前記送信セット選択器が、各分析されたトランシーバに関して、
前記リソース消費インジケータが第1のリソース消費しきい値未満であるとの決定に応じて、前記送信セット内に前記分析されたトランシーバを含め、
前記リソース消費インジケータが第2のリソース消費しきい値よりも大きいとの決定に応じて、前記送信セットから前記分析されたトランシーバを除外する
ように構成される、請求項12に記載のメッセージビーコンデバイス。
【請求項１４】
プロセッサによって実行されると、前記プロセッサに、ワイヤレスデバイスと通信するためのメッセージビーコンデバイスのリーチを最適化するための動作を実行させるコードを備える非一時的コンピュータ可読媒体であって、
前記リーチは、前記メッセージビーコンデバイスからメッセージビーコンを受信する近接したワイヤレスデバイスの数であり、
前記メッセージビーコンデバイスに関連する複数のトランシーバを特定するためのコードと、
各特定されたトランシーバを、前記特定されたトランシーバに関連するリソース消費、前記複数の特定されたトランシーバのうちの異なるトランシーバとの前記特定されたトランシーバの干渉、前記特定されたトランシーバのリーチ、またはそれらの組合せに基づいて分析するためのコードと、
各特定されたトランシーバの前記分析に基づいて、前記複数の特定されたトランシーバから送信セットを選択するためのコードと、
前記送信セット内の各選択されたトランシーバを使用して、メッセージビーコンを送信するための手段と
を備える、非一時的コンピュータ可読媒体。
【請求項１５】
各特定されたトランシーバを分析するための前記コードが、各特定されたトランシーバの動作に関連するリソース消費インジケータを決定するためのコードを備え、
送信セットを選択するための前記コードが、
前記リソース消費インジケータが第1のリソース消費しきい値未満であるとの決定に応じて、前記選択された送信セット内に前記分析されたトランシーバを含めるためのコードと、
前記リソース消費インジケータが第2のリソース消費しきい値よりも大きいとの決定に応じて、前記選択された送信セットから前記分析されたトランシーバを除外するためのコードと
を備える、請求項14に記載の非一時的コンピュータ可読媒体。